(57)【特許請求の範囲】
【請求項１】
（ａ）  データを記憶する記憶装置と、
（ｂ）  前記記憶装置の少なくとも一部へのアクセスを制御するよう動作する制御装置と
を有し、
前記制御装置は、サービス・プロバイダの対応する識別カードからの認証を条件に動作する
前記認証は、前記メモリカードをネットワーク装置に接続することに応答して、行われる
ことを特徴とするメモリカード。
【請求項２】
前記識別カードは、ＳＩＭカードである
ことを特徴とする請求項１記載のメモリカード。
【請求項３】
前記識別カードは、ＲＵＩＭカードである
ことを特徴とする請求項１記載のメモリカード。
【請求項４】
前記サービス・プロバイダは、移動ネットワーク・オペレータである
ことを特徴とする請求項１記載のメモリカード。
【請求項５】
前記制御装置は、前記サービス・プロバイダにより規定されたユーザ・プロファイルに応じて、前記メモリの少なくとも一部へのアクセスを制御するよう動作する
ことを特徴とする請求項１記載のメモリカード。
【請求項６】
前記メモリカードは、サービス・プロバイダにより、無線通信を介して、前記ユーザ・プロファイルを更新するよう、構成される
ことを特徴とする請求項５記載のメモリカード。
【請求項７】
前記メモリカードは、サービス・プロバイダにより、有線通信を介して、前記ユーザ・プロファイルを更新するよう、構成される
ことを特徴とする請求項５記載のメモリカード。
【請求項８】
前記記憶装置は、少なくとも１つの領域を有し、
前記アクセスの制御は、前記少なくとも１つの領域に限定される
ことを特徴とする請求項１記載のメモリカード。
【請求項９】
前記アクセスの制御は、読み出しアクセスのみを許可することを含む
ことを特徴とする請求項１記載のメモリカード。
【請求項１０】
前記アクセスの制御は、書き込み動作を制御することを含む
ことを特徴とする請求項１記載のメモリカード。
【請求項１１】
前記アクセスの制御は、読み出しアクセスと書き込みアクセスを許可することを含む
ことを特徴とする請求項１記載のメモリカード。
【請求項１２】
前記認証は、メモリカードと対応する前記識別カードを、共通のホストに接続することに応答して、行われる
ことを特徴とする請求項１記載のメモリカード。
【請求項１３】
前記ホストは、携帯電話である
ことを特徴とする請求項１記載のメモリカード。
【請求項１４】
前記ネットワーク装置は、携帯電話を含む
ことを特徴とする請求項１記載のメモリカード。
【請求項１５】
メモリカードの動作を制御する方法において、
（ａ）  メモリカードとネットワーク装置とを接続するステップと、
前記ネットワーク装置は、前記メモリカードに対応するサービス・プロバイダの識別カードと通信し、
（ｂ）  前記サービス・プロバイダの識別カードからの認証を条件に、前記メモリカードの少なくとも一部へのアクセスを制御するステップと
前記認証は、前記メモリカードをネットワーク装置に接続することに応答して、行われる
を有する
ことを特徴とするメモリカードの動作を制御する方法。
【請求項１６】
（ｃ）  前記サービス・プロバイダにより、メモリカードにユーザ・プロファイルを割り当てるステップ
を更に有し、
前記アクセスの制御は、前記ユーザ・プロファイルに応じて、行われる
ことを特徴とする請求項１５記載の方法。
【請求項１７】
（ｄ）  前記サービス・プロバイダが前記ユーザ・プロファイルを更新するステップ
を更に有する
ことを特徴とする請求項１６記載の方法。
【請求項１８】
前記更新するステップ（ｄ）は、無線通信を介して行われる
ことを特徴とする請求項１７記載の方法。
【請求項１９】
前記更新するステップ（ｄ）は、有線通信を介して行われる
ことを特徴とする請求項１７記載の方法。
【請求項２０】
前記記憶装置は、少なくとも１つの領域を有し、
前記アクセスの制御は、前記少なくとも１つの領域に限定される
ことを特徴とする請求項１５記載の方法。
【請求項２１】
前記アクセスの制御は、前記メモリカードを前記対応する識別カードに対し本物であることを認証するステップを含む
ことを特徴とする請求項１５記載の方法。
【請求項２２】
前記アクセスの制御は、読み出しアクセスのみを許可することを含む
ことを特徴とする請求項１５記載の方法。
【請求項２３】
前記アクセスの制御ステップ（ｂ）は、書き込み動作を制御することを含む
ことを特徴とする請求項１５記載の方法。
【請求項２４】
前記アクセスの制御ステップ（ｂ）は、読み出しアクセスと書き込みアクセスを許可することを含む
ことを特徴とする請求項１５記載の方法。
【請求項２５】
前記認証は、メモリカードと対応する前記識別カードを、共通のホストに接続することに応答して、行われる
ことを特徴とする請求項１５記載の方法。
【請求項２６】
（ａ）  サービス・プロバイダの識別カードと、
（ｂ）  メモリカードと、
を有し、
前記識別カードは、前記メモリカードに対応し、
前記メモリカードは、
（ｉ）  データを記憶する記憶装置と、
（ｉｉ）前記記憶装置の少なくとも一部へのアクセスを制御するよう動作する制御装置と
を有し、
前記制御装置は、サービス・プロバイダの対応する識別カードからの認証を条件に動作する
前記認証は、前記メモリカードをネットワーク装置に接続することに応答して、行われる
ことを特徴とする記憶システム。
【請求項２７】
前記少なくとも１つのネットワーク装置は、携帯電話を含む
ことを特徴とする請求項２６記載の記憶システム。
【発明の詳細な説明】
【技術分野】
【０００１】
本発明は、メモリカードに関し、特に、メモリカードの使用／利用を制御する方法に関する。
【背景技術】
【０００２】
移動電話加入者の携帯電話の利用が、移動ネットワーク・オペレータ（Mobile Network Operators (MNO)）の利益を益々大きくするにつれて、携帯電話の加入者の利用を１つのＭＮＯネットワークに制限するような傾向がある。
【０００３】
移動電話加入者の利用を１個のＭＮＯネットワークへ制限する従来の技術は、電話ロック・メカニズム（phone locking mechanism）を携帯電話に搭載して、適合可能なＳＩＭ（加入者特定／認識モジュール（Subscriber Identity Module））カードを携帯電話に搭載した場合に限り、携帯電話の利用を可能にするものである。ＳＩＭカードは、スマートカード型の装置で、移動電話加入者を特定する個人認証キーを記憶している。ＳＩＭカードは、テキストメッセージと電話番号を記憶する記憶領域を有する。
【０００４】
現在使用されている多くの携帯電話は、メモリカードをインターフェースするメモリカードスロットを有している。このスロット内にプラグインされたメモリカードは、非揮発性メモリ、通常フラッシュメモリ型の取り外し可能なメモリカードであり、電話に１６Ｍバイトから１Ｇバイトの記憶容量をさらに与えている。この付加的なメモリは、予め記憶されたデータとアプリケーション（例えば、画像、音楽、ゲーム）を記憶するために使用される。これらの全ては、携帯電話の種々の機能によりサポートされている。
【０００５】
メモリカードは、好みに応じた付属品として通常販売されており、メモリカード製造業者から購入できる。
【０００６】
移動ネットワーク・オペレータ（Mobile Network Operator (MNO)）は、携帯電話を無料あるいは極低コストで、加入者に提供（販売）している。ＭＮＯは、通常このような携帯電話の利用を、１つのＭＮＯネットワークへの使用あるいは特定の加入者にのみ制限することにより、限定している。
【０００７】
このような携帯電話の利用を制限する従来技術は、ＳＩＭロック機構を実行することにより、達成されている。このＳＩＭロック機構により、携帯電話と共にＭＮＯにより提供される適合性のあるＳＩＭカードを携帯電話が搭載した時のみ、その携帯電話が利用できるようにしている。
【０００８】
しかし、サービス・プロバイダが、メモリカードのコストを負担し、メモリカードにデータとアプリケーションを予め記憶させて、携帯電話の利用者を自分のＭＮＯネットワークに取り込むようにしてい場合には、メモリカードの利用を１個のＭＮＯネットワークにのみ限定するのが極めて好ましい。
【発明の開示】
【発明が解決しようとする課題】
【０００９】
本発明の目的は、メモリカードカードの利用を制限するために、対応する適合性のある保証されたカード（secured card）からの認証を条件に、動作するよう構成されたメモリカードを提供することである。
【課題を解決するための手段】
【００１０】
本発明のメモリカードは、このメモリカードが特定のサービスプロバイダの携帯電話で使用された時のみ完全に動作するように、携帯電話を販売する特定のサービス・プロバイダにより使用される。サービス・プロバイダは、メモリカードのコストを負担し、データとアプリケーションを予め記憶したメモリカードを提供している。携帯電話と本発明のメモリカードを極めて安価にあるいは無料で提供することにより、サービス・プロバイダは、ユーザに対しメモリカードの利用を促し、自分の売り上げを伸ばせる。
【００１１】
サービス・プロバイダによるメモリカードの利用の制限は、メモリカードの記録領域全体へのアクセスをロック（止める）するか、あるいは一部のみへのアクセスをロックすることにより行われる。メモリカードの記憶領域へのアクセスをロックすることにより、メモリカードから読み出し、メモリカードへの書き込み、あるいはその両方の機能を停止あるいは許可することができる。
【００１２】
本発明の他の態様は、サービス・プロバイダ（ＭＮＯ）が保護されたメモリカードをあらゆる種類のネットワーク装置（例えば、移動電話ネットワークまたはインターネット）を用いて、ロックを解除できる機能である。この場合、ＭＮＯの加入者は、メモリカードがネットワーク装置に搭載されていない場合でも、自分の保護されたメモリカードを使用することができる。
【００１３】
本発明の新規な点は、従来技術に係る保証されたメモリカードと比較した場合、メモリカードが特定の識別カード（例えば、特定のサービス・プロバイダのＳＩＭカード）から認証されていない場合でも、ユーザによるメモリカードの少なくとも一部の記憶領域の利用を制御できる点である。
【００１４】
本発明によると、本発明のメモリ・カードは、（ａ）データを記憶する記憶装置と、（ｂ）前記記憶装置の少なくとも一部へのアクセスを制御するよう動作する制御装置とを有し、前記制御装置は、サービス・プロバイダの対応する識別カードからの認証を条件に動作する。
【００１５】
好ましくは、前記識別カードは、ＳＩＭカードである。別の構成として、前記識別カードは、ＲＵＩＭカードである。
【００１６】
好ましくは、前記サービス・プロバイダは、移動ネットワーク・オペレータである。
【００１７】
好ましくは、前記制御装置は、前記サービス・プロバイダにより規定されたユーザ・プロファイルに応じて、前記メモリの少なくとも一部へのアクセスを制御するよう動作する。より好ましくは、前記メモリカードは、サービス・プロバイダにより、無線通信を介して、前記ユーザ・プロファイルを更新するよう、構成される。別の構成として、前記メモリカードは、サービス・プロバイダにより、有線通信を介して、前記ユーザ・プロファイルを更新するよう、構成される。
【００１８】
好ましくは、前記記憶装置は、少なくとも１つの領域を有し、前記アクセスの制御は、前記少なくとも１つの領域に限定される。
【００１９】
好ましくは、本発明の一実施例において、前記アクセスの制御は、読み出しアクセスのみを許可することを含む。別の構成として、前記アクセスの制御は、書き込み動作を制御することを含む。選択的事項として、前記アクセスの制御は、読み出しアクセスと書き込みアクセスを許可することを含む。
【００２０】
好ましくは、前記認証は、メモリカードと対応する前記識別カードを、共通のホストに接続することに応答して、行われる。より好ましくは、前記ホストは、携帯電話である。別の構成として、前記認証は、メモリカードをネットワーク装置に接続することに応答して、行われる。より好ましくは、前記ネットワーク装置は、携帯電話である。
【００２１】
本発明によると、本発明のメモリカードの動作を制御する方法は、（ａ）メモリカードに対応する、サービス・プロバイダの識別カードを用意するステップと、（ｂ）前記サービス・プロバイダの対応する識別カードからの認証を条件に、メモリカードの少なくとも一部へのアクセスを制御するステップとを有する。なお、メモリカードの記憶装置へのアクセスは、このメモリカードに対応し且つこのメモリカードと互換性のある特定の識別カードからの認証を条件とする。
【００２２】
好ましくは、本発明の方法は、さらに前記サービス・プロバイダにより、メモリカードにユーザ・プロファイルを割り当てるステップを有し、前記アクセスの制御は、前記ユーザ・プロファイルに応じて、行われる。より好ましくは、本発明の方法は、さらに前記サービス・プロバイダが前記ユーザ・プロファイルを更新するステップを有する。前記更新するステップは、無線通信あるいは有線通信を介して行われる。
【００２３】
好ましくは、前記記憶装置は、少なくとも１つの領域を有し、前記アクセスの制御は、前記少なくとも１つの領域に限定される。
【００２４】
好ましくは、前記アクセスの制御は、前記メモリカードを前記対応する識別カードに対し本物であることを認証するステップを含む。
【００２５】
好ましくは、前記アクセスの制御は、読み出しアクセスのみを許可することを含む。別の構成として、前記アクセスの制御は、書き込み動作を制御することを含む。選択的事項として、前記アクセスの制御は、読み出しアクセスと書き込みアクセスを許可することを含む。
【００２６】
好ましくは、前記認証は、メモリカードと対応する前記識別カードを、共通のホストに接続することに応答して、行われる。別の構成として、前記認証は、メモリカードをネットワーク装置に接続することに応答して、行われる。
【００２７】
本発明によると、本発明の記憶システムは、（ａ）サービス・プロバイダの識別カードと、（ｂ）  メモリカードとを有し、前記識別カードは、前記メモリカードに対応し、前記メモリカードは、（ｉ）データを記憶する記憶装置と、（ｉｉ）前記記憶装置の少なくとも一部へのアクセスを制御するよう動作する制御装置とを有する。前記制御装置は、サービス・プロバイダの対応する識別カードからの認証を条件に動作する。なお、メモリカードの記憶装置へのアクセスは、このメモリカードに対応する特定の識別カードからの認証を条件とする。
【００２８】
より好ましくは、本発明の記憶システムは、さらに少なくとも１つのネットワーク装置を有し、前記認証は、メモリカードと対応する前記識別カードを、前記少なくとも１つのネットワーク装置に接続することに応答して、行われる。より好ましくは、前記少なくとも１つのネットワーク装置は、携帯電話を含む。
【００２９】
本発明のよると、本発明のビジネス方法は、（ａ）携帯電話にメモリカードに対応する識別カードを具備させるステップと、（ｂ）前記対応する識別カードからの認証を条件に動作するよう前記メモリカードを構成するステップと、（ｃ）前記携帯電話とメモリカードを販売するステップとを有する。
【発明を実施するための最良の形態】
【００３０】
本発明は、メモリカードの利用を制限するために、特定の保証されたカードからの認証を条件に動作するよう構成されたメモリカードである。
【００３１】
本発明の一実施例によれば、本発明のメモリカードは、メモリカードに対応する（サービス・プロバイダ例えばＭＮＯの）ＳＩＭカードを具備したネットワーク装置（例えば、携帯電話）に搭載された時のみ動作するよう構成されている。
【００３２】
本発明の他の態様は、サービス・プロバイダ（例、ＭＮＯ）が、保護されたメモリカードを、ネットワーク装置（例えば、移動電話網またはインターネット）を用いて、ロック解除できる機能である。この場合、ＭＮＯの加入者は、自分の保護されたメモリカードを、メモリカードがネットワーク装置に搭載されていない場合でも、利用できる。
【００３３】
サービス・プロバイダは、複数の保証されたカードを本発明のメモリカードに対応するよう規定できる。
【００３４】
メモリカードの制御装置は、適合性のあるＳＩＭカードから受領した認証／確認を条件に、メモリカードのメモリの少なくとも一部の記憶領域へのアクセスを制御するよう動作する。
【００３５】
メモリカードの制御装置は、サービス・プロバイダにより規定されたユーザ・プロファイルに従って、メモリカード内の記憶領域へのアクセスを制御するよう動作する。メモリカードのユーザ・プロファイルは、サービス・プロバイダにより（例えば、属性ワードを各領域に割り当てることにより）初期設定され、メモリカード内の記憶領域（またはその記憶領域の一部分）へのアクセスを制限する。
【００３６】
メモリカード内の記憶領域は、単一記憶領域を有する「未分割記憶領域」として、あるいは複数の記憶領域を有する「区分化記憶領域」として定義される。
【００３７】
メモリカードのユーザ・プロファイルは、全体としてロック解除状態／ロック状態に設定され、これによりメモリカード内の全ての記憶領域へのアクセスを可能（許可）／不可能（禁止）とする。別の構成として、メモリカードの記憶領域の一部のみをロック解除（許可）状態／ロック（禁止）状態に設定することもでき、これにより、記憶領域の一部のみへのアクセスを可能／不可能にすることもできる。
【００３８】
メモリカード全体またはその一部のみをロック状態に設定することにより、メモリカードの機能制限せきる。例えば、メモリカードの読み出し機能／書き込み機能／あるいはその両方を機能を停止することができる。
【００３９】
ユーザ・プロファイルは、如何なる時点でも、サービス・プロバイダ（例、ＭＮＯ）により、無線通信にあるいは有線通信により更新できる。
【実施例】
【００４０】
図１に本発明のメモリカード１０のブロック図を示す。メモリカード・インターフェース１２は、ホストと通信するために具備される。ホストは、メモリカード・インターフェースを含む如何なる種類のデータ処理システム／サブシステムでもよい、例えば携帯電話、ＰＤＡ（Personal Digital Assistant）、ＰＣ（Personal Computer）等である。
【００４１】
認証装置１５は、メモリカードの所有者（またはプロバイダ）のみが記憶装置１６を管理（例えば、ロックされた領域の記憶容量へのアクセス／フォーマット化あるいは新たな記憶領域を規定する等）できるよう具備される。認証特徴は、２個の暗号化キーで実現される。これに関しては図３で説明する。
【００４２】
制御装置１４は、認証装置１５に応答して動作し、メモリカード１０の記憶領域へのアクセスを制御するために使用される処理システムである。
【００４３】
ロック機構１８は、通常制御装置１４内に搭載され、メモリカードの使用を制御するため、そして特定の安全確認されたカードからの認証に応答して、記憶装置１６へのアクセスを制御する高級論理メカニズムとして具備される。
【００４４】
メモリカード１０の動作を制御することにより、例えば全ての記憶装置あるいはその一部領域への書き込み動作を禁止する（すなわち、記憶装置１６内に記憶された記憶領域への読み出しアクセスのみを提供する）、あるいは、全ての記憶装置あるいはその一部領域の読み出しと書き込みの両方の動作を、禁止することができる。
【００４５】
ロック機構１８は、記憶装置１６の領域Ｓ１、Ｓ２、Ｓ３をそれぞれの属性ワードに割り当てることにより、実現される。一般的な属性ワードは、読み出し属性３２と書き込み属性３４を含む（図２）。
【００４６】
記憶装置１６は、通常フラッシュメモリで実現される。この実施例の記憶装置１６は、３つの領域Ｓ１、Ｓ２、Ｓ３を有する。各領域は、ホストは、独立した論理装置と見なす。制御装置１４は、このメモリ領域の属性ワードで、ＭＮＯにより予めプログラムされたコンテンツに従って、各記記憶装置へのアクセスを制限する。記憶領域の数とそのサイズは、ＭＮＯが決定する。
【００４７】
図２は、図１の記憶装置１６の各領域に割り当てられた属性ワード３０を示す。属性ワード３０の集合体が、メモリカードのユーザ・プロファイルを規定し、メモリカード内あるいは適合性のある識別カード（ＳＩＭカード）のいずれか内で、例えば、各領域の属性ワード３０用に記憶装置１６の各領域内に記憶領域を確保することにより、実現される。
【００４８】
一例として、属性ワード３０は、読み出し属性フラッグ３２と書き込み属性フラッグ３４とを含む。これらは、各領域Ｓ１、Ｓ２、Ｓ３に割り当てられ、読み出し操作または読み出しと書き込みの操作を可能（許可）／不可能（禁止）にする。
【００４９】
対応する領域の読み出し属性フラッグ３２をロック解除状態（例、「０」）に設定することにより、ユーザは、この記憶領域の記憶内容を読み出すことができる。また読み出し属性フラッグ３２をロック状態（例、「１」）に設定することにより、ユーザは、この記憶領域の記憶内容を読み出すことができなくなる。対応する記憶領域の書き込み属性フラッグ３４をロック解除状態（例「０」）に設定することにより、ユーザはこの記憶領域にデータを書き込むことができる。また書き込み属性フラッグ３４をロック状態（例、「１」）に設定することにより、この記憶領域を読み出し専用メモリとしてプログラムでき、ユーザがこの領域に書き込むのを阻止することができる。
【００５０】
属性ワードは、メモリカードのユーザ・プロファイルを規定するが、サービス・プロバイダ（例、ＭＮＯ）により、いつでも無線通信または有線通信により更新できる。
【００５１】
図３は、メモリカード１０を適合性のあるＳＩＭカードで初期化するために、サービス・プロバイダ（例、ＭＮＯ）により採用される本発明の方法のフローチャート４０を示す。初期化は、ＭＮＯにより実行され、メモリカード１０と対応するＳＩＭカードは、あるアプリケーションを搭載した処理システム（例、ＰＣ）に接続される。このアプリケーションは、対応するＳＩＭカードと適合性のあるメモリカードを初期化し、所定のプロファイルに従って、動作する。
【００５２】
第１ステップ４２において、ＭＮＯは、パスワードをメモリカードに送り、初期化プロセスを開始する。
【００５３】
ステップ４４において、受信したパスワードは、メモリカードに予め記憶（登録）させたパスワードを有するメモリカードにより認証される。認証が失敗した（パスワードが無効の）場合、ステップ４６でエラーコマンドが送出され、初期化プロセスを中断する。一方で認証が成功した場合は、ステップ４８で、ＭＮＯが、それぞれのメモリカード内の記憶領域を区分する措置（例えば、記憶領域の数と大きさ）を実行し、ステップ５０に進む。
【００５４】
ステップ５０で、各領域に、対応する読み出し属性および／または書き込み属性を割り当てる。
【００５５】
次のステップ５２において、メモリカードと対応するＳＩＭカードの両方に、同一の２個の暗号化キー（第１キー、第２キーとして定義される）が付与される。これらの２個の暗号化キーは、メモリカードがホスト装置に搭載された時に、後で使用される（図４）。これらの暗号化キーは、このＭＮＯのデータベース内で、このメモリカードに関連付けて記憶される。
【００５６】
図４には、ＭＮＯによりユーザに割り当てられた携帯電話内で、本発明のメモリカードが動作する本発明の方法のフローチャート６０を示す。
【００５７】
初期ステップ６２において、ロック解除リクエストが、メモリカードに発行される。このリクエストは、自動的に、例えば電源を入れた時、またはメモリカードを適合性のあるＳＩＭカードを具備したホスト（例、携帯電話）のスロットに挿入した時に、発行される。
【００５８】
次のステップ６４において、ＳＩＭカードが、このメモリカードはこの特定のＳＩＭカードで初期化されたメモリカードであるか否かを、本発明の方法により検証する。否の場合には、ステップ６６で、ユーザによりなされたリクエストは、このメモリカードによっては認証されず、操作は中断し、ユーザは、携帯電話での操作に従って、メモリカードを使用できない（但し、１つの領域のみがロックされている場合には、ユーザは、メモリカードの他の領域のメモリを使用できる）。
【００５９】
しかし、一方で肯定的な場合には、ステップ６８で、ランダムなロック解除コードがメモリカードにより生成され、その後、ＭＮＯにより提供される第１暗号キー（第１キー）により暗号化される。
【００６０】
ステップ７０において、暗号化されたコードが、適合性のあるＳＩＭカードに送信される。
【００６１】
ステップ７２において、暗号化されたコードは、ＳＩＭカードにより、ＭＮＯによりＳＩＭカードに提供された第１キーを用いて、暗号解読（脱暗号化）され、その後、ＳＩＭカードにより、ＭＮＯにより提供された第２暗号化キーを用いて再度暗号化される。
【００６２】
次のステップ７４において、再度暗号化されたコードがメモリカードに送られる。
【００６３】
ステップ７６において、再度暗号化されたコードは、メモリカードにより、メモリカード内に記憶された第２キーにより再度脱暗号化される。
【００６４】
ステップ７８において、第２キーを用いてメモリカードにより得られた再度脱暗号化されたデータが、ステップ６４でメモリカードにより以前に生成されたランダムなコードと一致するか確かめられる。一致しない場合には、ステップ８０で、メモリカードはロックされたままにあり、エラーコマンドがホストに送られる。一方で、一致した場合にはステップ８２で、メモリカード（あるいはそれぞれの記憶領域）は、ロック解除状態に設定され、加入者が使用できるようになる。
【００６５】
メモリカードに記憶された同一の２個の暗号化キー（第１キー、第２キー）で構築されたＳＩＭカードのみが、ホストがメモリカードをステップ８２でロック解除状態に設定するよう指示するよう、適合できる。
【００６６】
図４に記載した方法は、単なる実施例で、本発明のメモリカードを操作する他の方法、携帯電話内のメモリカードの使用に加えて、メモリカードをインターネットで駆動されるホスト内に搭載することにも、等しく適用可能である。
【００６７】
図５Ａに、本発明の第１モードにおいて、携帯電話８２内に搭載された本発明のメモリカードカードが動作する例８０を示す。ホスト（例、携帯電話８２）は、メモリカード１０と、適合性のあるＳＩＭカード８６とを管理／収納（host）する。この場合において、携帯電話８２は、メディエータ（mediator:調停装置）として採用され、その結果、メモリカード１０は、ＳＩＭカード８６により、携帯電話のソフトウェアとハードウェアを用いて認証される。ＳＩＭカード８６は、サービス・プロバイダ８４のサーバと通信する、例えばＭＮＯと携帯電話ネットワークを介して通信する。例えば、サービス・プロバイダ８４は、メモリカード１０のユーザ・プロファイルを、移動電話回線を用いて更新できる。
【００６８】
図５Ｂは、本発明の第２モードにより、インターネットに接続されるホスト（例、パソコン９２）内に搭載された本発明のメモリカードの動作方法を示す例９０を示す。第２動作モードによれば、メモリカード１０のみがパソコン９２にプラグインされる。適合性のあるＳＩＭカード８６は、携帯電話９４内に搭載され、サービス・プロバイダ８４内のサーバと、携帯電話接続を介して（メモリカード１０とは別個に）通信する。この場合、メモリカード１０は、サービス・プロバイダ８４のサーバによりインターネット接続を介して、認証される。例えば、サービス・プロバイダ８４は、メモリカード１０のユーザ・プロファイルを、インターネット接続を介して更新できる。このようにメモリカードを使用することにより、メモリカード１０をＳＩＭカード８６に接続する必要がなくなる（例えば、メモリカード１０が、携帯電話９４からパソコン９２に変更して挿入された時）。
【００６９】
本発明の他の実施例によれば、ビジネスを実行するサービス・プロバイダの方法が提供できる。この方法は、携帯電話に安全確認されたカードを具備させ、メモリカードをこの安全確認されたカードからのみの認証を条件に、動作するよう構成し、割引セール（すなわち、非常に低価格あるいは無料で）用に携帯電話とメモリカードを提供（販売）する方法である。サービス・プロバイダは、メモリカードのコストを負担し、且つ予め記録されたデータとアプリケーションをメモリカードに具備させ、携帯電話とメモリカードを割引価格で提供することにより、支払い時に使用されるメモリカードをＭＮＯネットワークに結びつけることにより、その売り上げを増加させることができる。
【００７０】
本発明は、適合性のあるＳＩＭカードと互換性があるよう構成されたメモリカードに関する。本発明の他の実施例も本発明の範囲内で可能である。かくして本発明は、例えば第３のサービス・プロバイダのサーバから受信したコマンドに応答して、メモリカード内の記憶領域の動作を制御するよう適用されたＲＵＩＭ（Removable User Identity Module）のような確認装置にも関する。
【００７１】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号（付されている場合）は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００７２】
【図１】本発明のメモリカードのブロック図。
【図２】図１のメモリカードの記憶部分の各領域に割り当てられた属性ワードを表す図。
【図３】図１のメモリカードを、適合性のあるＳＩＭカードで初期化するために、サービス・プロバイダにより行われる本発明の方法を表すフローチャート図。
【図４】ＭＮＯにより、ユーザに割り当てられた携帯電話内で本発明のメモリカードを動作させる本発明の方法を表すフローチャート図。
【図５Ａ】第１動作モードにより、本発明のメモリカードが携帯電話に挿入された時の動作方法を表す図。
【図５Ｂ】第２動作モードにより、本発明のメモリカードがインターネットによりイネーブルされるホスト（例、ＰＣ）にインストールされた時の動作方法を表す図。
【符号の説明】
【００７３】
１０  メモリカード  
１２  メモリカード・インターフェース
１４  制御装置
１５  認証装置
１６  記憶装置
１８  ロック機構
３０  属性ワード
３２  読み出し属性フラッグ
３４  書き込み属性フラッグ
Ｓ１，Ｓ２，Ｓ３  領域
４０  フローチャート
６０  フローチャート
８２  携帯電話
８４  サービス・プロバイダ
８６  ＳＩＭカード
９２  パソコン（ＰＣ）
９４  携帯電話
【図１】
0004707069.tif 000002
【図２】
0004707069.tif 000003
【図３】
0004707069.tif 000004
【図４】
0004707069.tif 000005
【図５Ａ】
0004707069.tif 000006
【図５Ｂ】
0004707069.tif 000007